(57)【特許請求の範囲】
【請求項１】
ハンガーに吊るされた状態の洗濯物としての衣類に、ロール状に巻かれている筒状の樹脂フィルムを引き下ろして被せ、衣類とハンガーとを一緒に樹脂フィルムで包装する洗濯物立体包装機であって、上記の樹脂フィルムのロールが載せられる平行一対状の支持ローラと、この一対の支持ローラの一方のローラを介して戻される樹脂フィルムを、再び送り出し方向に反転させてから上方に導くガイド機構とを備え、上記の一対の支持ローラは、包装機本体の後側の下部に設けられている左右一対状の側板に、包装機本体の左右方向に沿って水平状に横架され、この支持ローラの前後の位置に、支持ローラと平行になるよう、案内ローラが側板に横架され、また上記のガイド機構が、上記の一方のローラを介して戻される樹脂フィルムを、再び送り出し方向に反転させる第一のガイド部材と、この第一のガイド部材を介して送り出される樹脂フィルムを上方に方向転換させる第二のガイド部材と、この第二のガイド部材を介して送り出される樹脂フィルムを上方に案内する第三のガイド部材とで形成され、第一のガイド部材と第二のガイド部材と第三のガイド部材が梯子状に連結されていると共に、第一のガイド部材の軸芯を中心に第二のガイド部材が回動可能に連結され、また第二のガイド部材の軸芯を中心に第三のガイド部材が回動可能に連結され、第一のガイド部材と第二のガイド部材と第三のガイド部材が、樹脂フィルムをセットする前は、垂れ下がった状態に配置され、樹脂フィルムの送り出し時に、第二のガイド部材と第三のガイド部材が持ち上げられると、第二のガイド部材は上記の側板の後端の位置に配置され、また第三のガイド部材は、側板の後端から後方に食み出すことがないよう、第二のガイド部材の上方に配置されて樹脂フィルムのロールの設置箇所内に収まるよう形成されていることを特徴とする洗濯物立体包装機。
【発明の詳細な説明】
【技術分野】
【０００１】
本発明は、洗濯したワイシャツ等の衣類を吊るした状態で、筒状の樹脂フィルムで包装する洗濯物立体包装機に関し、更に詳しくは樹脂フィルムの送り出し機構を改良した洗濯物立体包装機に関するものである。
【背景技術】
【０００２】
従来、巻回状の樹脂フィルムで品物を包装する包装機としては、例えば特許文献１に記載されているものがある。
この従来機は、樹脂フィルムのロールを載せるため、ローラが平行一対状に設けられている。
【０００３】
ところで、特許文献１に記載の従来機は、樹脂フィルムのロールを、一対のローラの上に置くことでロールをセットできる。従って、これによると、樹脂フィルムのロールを、例えば軸に差して取り付ける場合に比べ、ロールの取り付け作業を、簡単、迅速にできる。
【０００４】
しかしながら、この従来機は、樹脂フィルムのロールを、平行一対のローラの上で転動させて樹脂フィルムを引き出す構造である。従って、この従来機の場合は、樹脂フィルムの量が減ってロールが軽くなると、ロールが一対のローラの上でガタガタと揺れ、また樹脂フィルムに弛みができ、安定した状態で樹脂フィルムを送り出すことができない、という問題点があった。
【先行技術文献】
【特許文献】
【０００５】
【特許文献１】特開平７−２０５９３４号公報
【発明の概要】
【発明が解決しようとする課題】
【０００６】
本発明は、このような従来機の問題点に鑑み、提案されたものである。
従って本発明の解決しようとする技術的課題は、洗濯物を吊るした状態で樹脂フィルムを被せて包装する包装機において、樹脂フィルムのロールを、簡単、迅速にセットでき、しかも樹脂フィルムの量が減ってロールが軽くなっても、樹脂フィルムを安定した状態で円滑に整然と送り出して包装できるよう形成した洗濯物立体包装機を提供することにある。
【課題を解決するための手段】
【０００７】
本発明は、上記の課題を解決するため、次のような技術的手段を採る。
即ち、本発明は、図１等に示されるように、ハンガー１に吊るされた状態の洗濯物としての衣類２に、ロール状に巻かれている筒状の樹脂フィルム３を引き下ろして被せ、衣類２とハンガー１とを一緒に樹脂フィルム３で包装する洗濯物立体包装機であって、上記の樹脂フィルム３のロール４が載せられる平行一対状の支持ローラ５と、この一対の支持ローラ５の一方のローラ５ａを介して戻される樹脂フィルム３を、再び送り出し方向に反転させてから上方に導くガイド機構６とを備え、上記の一対の支持ローラ５は、包装機本体８の後側の下部に設けられている左右一対状の側板９に、包装機本体８の左右方向に沿って水平状に横架され、この支持ローラ５の前後の位置に、支持ローラ５と平行になるよう、案内ローラ２０が側板９に横架され、また上記のガイド機構６が、上記の一方のローラ５ａを介して戻される樹脂フィルム３を、再び送り出し方向に反転させる第一のガイド部材１１と、この第一のガイド部材１１を介して送り出される樹脂フィルム３を上方に方向転換させる第二のガイド部材１２と、この第二のガイド部材１２を介して送り出される樹脂フィルム３を上方に案内する第三のガイド部材１３とで形成され、第一のガイド部材１１と第二のガイド部材１２と第三のガイド部材１３が梯子状に連結されていると共に、第一のガイド部材１１の軸芯を中心に第二のガイド部材１２が回動可能に連結され、また第二のガイド部材１２の軸芯を中心に第三のガイド部材１３が回動可能に連結され、第一のガイド部材１１と第二のガイド部材１２と第三のガイド部材１３が、樹脂フィルム３をセットする前は、垂れ下がった状態に配置され、樹脂フィルム３の送り出し時に、第二のガイド部材１２と第三のガイド部材１３が持ち上げられると、第二のガイド部材１２は上記の側板９の後端９ｃの位置に配置され、また第三のガイド部材１３は、側板９の後端９ｃから後方に食み出すことがないよう、第二のガイド部材１２の上方に配置されて樹脂フィルム３のロール４の設置箇所内に収まるよう形成されていることを特徴とする（請求項１）。
【０００８】
なお、第一のガイド部材１１、第二のガイド部材１２、第三のガイド部材１３は、例えば丸棒や円筒体で形成され、軸芯を中心に回転自在に、或いは固定的に設けられるものである。
【発明の効果】
【０００９】
本発明は、このように樹脂フィルムのロールを載せる平行一対状の支持ローラと、この一対の支持ローラの一方のローラを介して戻す樹脂フィルムを、再び送り出し方向に反転させてから上方に導くガイド機構とを備えて形成されている。
【００１０】
従って本発明の場合は、樹脂フィルムのロールを取り付けるとき、支持ローラと平行になるようロールを支持ローラに載せることで済むから、これによれば樹脂フィルムの取り付け作業を、楽に且つ迅速にできる。
また本発明は、ガイド機構によって樹脂フィルムの引き出し力がロールに直接加えられることを防止でき、また樹脂フィルムを弛ませることなく送り出すことができる。
従って本発明によれば、樹脂フィルムの量が減ってロールが軽くなっても、樹脂フィルムを、円滑に、且つ安定した状態で、最後まで整然と送り出して包装することができる。
【００１１】
また本発明は、ガイド機構が、上記のように形成されているから、これによると、少数の部品で、効率良く樹脂フィルムを張って送り出すことができる。
【００１２】
また本発明は、第一のガイド部材の下方に、第二のガイド部材と第三のガイド部材を垂らした状態で樹脂フィルムを、各ガイド部材に張り巡らすことができ、この種の樹脂フィルムのセット作業を、簡単化、迅速化できる。
【図面の簡単な説明】
【００１３】
【図１】本発明の包装機の好適な一実施形態を示す要部側面図である。
【図２】同上包装機の前側から見た斜視図である。
【図３】同上包装機の後側から見た斜視図である。
【図４】同上包装機の要部背面図である。
【図５】同上包装機の要部平面図である。
【図６】同上包装機の要部斜視図である。
【図７】同上包装機の作用を説明するための要部側面図である。
【図８】同上包装機の作用を説明するための要部斜視図である。
【発明を実施するための形態】
【００１４】
以下、本発明の好適な一実施形態を、添付図面に従って説明する。
本発明は、図１等に示されるように、ハンガー１に吊るされた状態の洗濯物としての衣類２に、ロール状に巻かれている筒状の樹脂フィルム３を引き下ろして被せ、衣類２とハンガー１とを一緒に樹脂フィルム３で包装する装置である。衣類２としては、例えばワイシャツやブラウス等の上着がある。
【００１５】
本発明は、上記の樹脂フィルム３のロール４が載せられる平行一対状の支持ローラ５と、この一対の支持ローラ５の一方のローラ５ａを介して戻される樹脂フィルム３を、再び送り出し方向に反転させてから上方に導くガイド機構６とを備えて形成されている。
なお、７は、内側をテーパー形状にした円板であり、樹脂フィルム３の横ずれを防止している。この円板７は、この実施形態では一方のローラ５ａの両端寄りの位置に、ローラ５ａに同心状に設けられている。
【００１６】
上記の支持ローラ５は、図３等に示されるように、包装機本体８の後側の下部に、左右方向に沿って水平状に横架されている。支持ローラ５は、具体的には包装機本体８の後側の下部に設けられている左右一対状の側板９に取り付けられている。
【００１７】
支持ローラ５の間隔は、樹脂フィルム３のロール４の芯材４ａの直径より小さく選定され、樹脂フィルム３の送り出しが完了したとき、芯材４ａの落下を防止できるよう形成されている。この間隔は、芯材４ａの直径に応じて調節可能に形成されているのでも良い。
なお、この実施形態では、樹脂フィルム３に帯電する静電気を除去できるよう、支持ローラ５に静電気の除去シート１０が巻かれている。
【００１８】
上記のガイド機構６は、図１に示されるように、一方のローラ５ａを介して戻される樹脂フィルム３を、再び送り出し方向に反転させる第一のガイド部材１１と、この第一のガイド部材１１を介して送り出される樹脂フィルム３を上方に方向転換させる第二のガイド部材１２と、この第二のガイド部材１２を介して送り出される樹脂フィルム３を上方に案内する第三のガイド部材１３とで形成されている。
【００１９】
また本発明の場合、第一のガイド部材１１と第二のガイド部材１２と第三のガイド部材１３は、梯子状に連結されている。そして第一のガイド部材１１の軸芯を中心に第二のガイド部材１２が回動可能に連結され、また第二のガイド部材１２の軸芯を中心に第三のガイド部材１３が回動可能に連結されている。
【００２０】
具体的には、第一のガイド部材１１は、軸芯を中心に回転するようローラ状に形成され、側板９に固定されている。第一のガイド部材１１と第二のガイド部材１２の両端は、上側のアーム部材１４で連結されている。また第二のガイド部材１２と第三のガイド部材１３の両端は、下側のアーム部材１５で連結されている。第二のガイド部材１２と第三のガイド部材１３は、丸棒状に形成されている。
なお、１６は、補強と、樹脂フィルム３の案内を兼ねる棒部材である。
【００２１】
本発明は、ガイド機構６が、このように形成されているから、図３、図４に示されるように、第二のガイド部材１２と第三のガイド部材１３は、第一のガイド部材１１の下側に吊り下げられて配置される。この場合、上側のアーム部材１４は、側板９の内面に設けられているストッパー１７（図１参照）で係止される。また下側のアーム部材１５は、側板９の下端の内側への折り返し片９ａの端面９ｂに係止される。
なお、１８は、樹脂フィルム３を検知するセンサーである。
【００２２】
そして樹脂フィルム３が送り出されると、図１に示されるように、第二のガイド部材１２は上側のアーム部材１４を介して第一のガイド部材１１の軸芯を中心に、約９０度回動して持ちあがり、上側のアーム部材１４がストッパー１９に係止することにより、第一のガイド部材１１の後側にほぼ水平に配置される。
【００２３】
また第三のガイド部材１３は、下側のアーム部材１５を介して第二のガイド部材１２の軸芯を中心に回動し、第二のガイド部材１２の上方に配置される。この場合、下側のアーム部材１５は、図６に示されるように、上側のアーム部材１４の折り返し片１４ａの端面１４ｂに係止する。
【００２４】
また、本発明の場合、ガイド機構６は、包装機本体８の後側に大きく突き出すことがないよう、樹脂フィルム３のロール４の設置箇所内に収まるよう形成されている。
具体的には、図１に示されるように、樹脂フィルム３の送り出し時に、第二のガイド部材１２と第三のガイド部材１３が持ち上げられると、第二のガイド部材１２は側板９の後端９ｃの位置に配置され、第三のガイド部材１３は、側板９の後端９ｃから後方に食み出すことがないよう、第二のガイド部材１２の上方に配置される。
従って、本発明の場合は、包装機本体８の設置面積、占有面積を拡げることなく、ガイド機構６によって樹脂フィルム３を円滑に送り出すことができる。
【００２５】
また、本発明は、図１に示されるように、支持ローラ５の前後の位置に、支持ローラ５と平行になるよう、案内ローラ２０が側板９に横架されている。樹脂フィルム３は、この案内ローラ２０によって上方に円滑に送られる。また樹脂フィルム３のロール４を支持ローラ５に載せるとき、過って転がり落ちることを、この案内ローラ２０によって防止できる。
【００２６】
なお、本発明の包装機は、図２に示されるように、衣類吊り下げ収納部２１の上部に、ハンガー１のフック１ａを引っ掛けるための鉤部材２２が設けられている。衣類吊り下げ収納部２１は、前面が開口され、縦長のスペースに形成されている。
また包装機本体８の前側の上部には、ハンガー１に掛けられた衣類２の受け渡しに使用するための引っ掛け部２３が設けられている。
【００２７】
また衣類吊り下げ収納部２１は、この実施形態では奥に背板２４が左右一対状に設けられている。そして本発明は、この背板２４の前面に、衣類２や樹脂フィルム３に帯電する静電気を除去するための静電気除去部材２５が設けられている。この静電気除去部材２５は、除電効果が高くなるよう、背板２４の凸段差部２４ａの前面に、三列状に張られている。
【００２８】
次に、この実施形態に係る本発明の作用を説明する。
この実施形態では樹脂フィルム３のロール４を反時計方向に回転させて、樹脂フィルム３を送り出す場合である。
【００２９】
ガイド機構６は、樹脂フィルム３をセットする前は、図３に示されるように、垂れ下がった状態に配置されている。この状態で作業者は、図７に示されるように、一対の支持ローラ５に樹脂フィルム３のロール４を載せ、ガイド機構６等に樹脂フィルム３を張る。具体的には、一方のローラ５ａを介して樹脂フィルム３を一旦戻し、次に第一のガイド部材１１を介して引き下ろし、第二のガイド部材１２、第三のガイド部材１３、及び後側の案内ローラ２０を介して張る。
【００３０】
そして本発明は、樹脂フィルム３が上方に引かれると、図１に示されるように、上側のアーム部材１４と下側のアーム部材１５が回動して持ち上がる。これにより、第二のガイド部材１２と第三のガイド部材１３が所定位置に配置される。
【００３１】
従って本発明の場合、樹脂フィルム３は、同図に矢印で示されるように、一方のローラ５ａから一旦戻され、第一のガイド部材１１で引き出し方向に反転する。次に樹脂フィルム３は、第二のガイド部材１２で上方に方向転換し、第三のガイド部材１３に案内され、後側の案内ローラ２０に導かれて上方に引かれる。そして樹脂フィルム３は、包装機本体８の上部の所定位置のローラ２６、２７を経て引き下ろされ、衣類２に被せられるものである。
【００３２】
１      ハンガー
２      衣類
３      樹脂フィルム
４      樹脂フィルムのロール
５      支持ローラ
５ａ    一方のローラ
６      ガイド機構
８ 包装機本体
９ 側板
９ｃ 後端
１１ 第一のガイド部材
１２ 第二のガイド部材
１３ 第三のガイド部材
２０ 案内ローラ
【図１】
0005871208.tif 000002
【図２】
0005871208.tif 000003
【図３】
0005871208.tif 000004
【図４】
0005871208.tif 000005
【図５】
0005871208.tif 000006
【図６】
0005871208.tif 000007
【図７】
0005871208.tif 000008
【図８】
0005871208.tif 000009